(57)【要約】【課題】撮像された画像データ間の関連性を柔軟に管理して、関連した複数の画像データの閲覧を容易にする。【解決手段】画像データベース１２０に保持された画像データの間の親子関係を示すリンクがリンク管理データベース１３０によって管理される。表示部１６０は、表示制御部１５０の制御に従って親画像および子画像の表示画面を表示する。表示状態保持部１４０は、表示部１６０における表示状態を保持する。操作受付部１１０は、画像データの間の親子関係に基づいて親画像および子画像に関するリンクおよび表示状態を変更する操作入力を受け付ける。表示制御部１５０は、親子関係を示すリンクに基づいて、子画像以外の画像データを表示対象とするダイジェスト表示、または、全ての画像データを表示対象とする全表示の何れかにより表示部１６０に画像データを表示するよう制御する。【選択図】図１
2008175994.tif 000002
【特許請求の範囲】
【請求項１】
複数の画像データを保持する画像データ保持手段と、
前記複数の画像データにおける２つの画像データの間で親画像データと子画像データの親子関係を表すリンクを管理するリンク管理手段と、
前記複数の画像データの表示に関する操作入力を受け付ける操作受付手段と、
前記操作入力に基づいて前記複数の画像データの全てを表示対象とする全表示と前記複数の画像データのうち前記リンクによって子画像データとなる画像データ以外を表示対象とするダイジェスト表示とを切り替えるように制御する表示制御手段と
を具備することを特徴とする画像表示制御装置。
【請求項２】
前記表示制御手段は、前記全表示においては子画像データをその親画像データの後ろに表示するように制御することを特徴とする請求項１記載の画像表示制御装置。
【請求項３】
前記画像データ保持手段は、前記複数の画像データのそれぞれに付随して所定の日時を保持し、
前記表示制御手段は、前記リンクによって子画像データとなる画像データ以外については各画像データに付随する前記所定の日時に応じて時系列に表示するように制御することを特徴とする請求項１記載の画像表示制御装置。
【請求項４】
前記表示制御手段は、前記全表示においては子画像データを親画像データよりも小さく表示するように制御することを特徴とする請求項１記載の画像表示制御装置。
【請求項５】
前記画像データ保持手段は、前記複数の画像データのそれぞれに付随してその画像データを隠すか否かを示す隠し画像属性を保持し、
前記表示制御手段は、前記隠し画像属性により隠す旨を設定された画像データについて表示するか否かを前記操作入力に基づいて制御することを特徴とする請求項１記載の画像表示制御装置。
【請求項６】
前記表示制御手段は、前記隠し画像属性により隠す旨を設定された画像データを表示する場合には半透明に表示するように制御することを特徴とする請求項５記載の画像表示制御装置。
【請求項７】
前記操作受付手段は、前記複数の画像データにおける前記第１の画像データを示す表示領域に対して前記第２の画像データを示すアイコンを重ねる操作を受け付け、
前記表示制御手段は、前記第１の画像データを親画像データとして前記第２の画像データを子画像データとする新たなリンクを前記リンク管理手段に保持させることを特徴とする請求項１記載の画像表示制御装置。
【請求項８】
前記操作受付手段は、リンク解除を受け付ける領域に対して前記複数の画像データの何れかを示すアイコンを重ねる操作を受け付け、
前記表示制御手段は、前記アイコンに示される画像データに関連するリンクを前記リンク管理手段に解除させることを特徴とする請求項１記載の画像表示制御装置。
【請求項９】
前記リンク管理手段は、前記親画像データにおける特定の位置と前記子画像データの親子関係を表すリンクをさらに管理し、
前記表示制御手段は、前記親画像データにおける前記特定の位置に前記子画像データを示す表示を行うよう制御することを特徴とする請求項１記載の画像表示制御装置。
【請求項１０】
前記操作受付手段は、前記複数の画像データにおける前記第１の画像データを示す表示領域の特定の位置に対して前記第２の画像データを示すアイコンを重ねる操作を受け付け、
前記表示制御手段は、前記第１の画像データの前記特定の位置を親画像データの特定の位置として前記第２の画像データを子画像データとする新たなリンクを前記リンク管理手段に保持させることを特徴とする請求項９記載の画像表示制御装置。
【請求項１１】
複数の画像データを保持する画像データ保持手段と、前記複数の画像データにおける２つの画像データの間で親画像データと子画像データの親子関係を表すリンクを管理するリンク管理手段とを備える画像表示制御装置における画像表示制御方法であって、
前記複数の画像データの表示に関する操作入力を受け付ける操作受付手順と、
前記操作入力に基づいて前記複数の画像データの全てを表示対象とする全表示と前記複数の画像データのうち前記リンクによって子画像データとなる画像データ以外を表示対象とするダイジェスト表示とを切り替える表示制御手順と
を具備することを特徴とする画像表示制御方法。
【請求項１２】
複数の画像データを保持する画像データ保持手段と、前記複数の画像データにおける２つの画像データの間で親画像データと子画像データの親子関係を表すリンクを管理するリンク管理手段とを備える画像表示制御装置において、
前記複数の画像データの表示に関する操作入力を受け付ける操作受付手順と、
前記操作入力に基づいて前記複数の画像データの全てを表示対象とする全表示と前記複数の画像データのうち前記リンクによって子画像データとなる画像データ以外を表示対象とするダイジェスト表示とを切り替える表示制御手順と
をコンピュータに実行させることを特徴とするプログラム。
【発明の詳細な説明】
【技術分野】
【０００１】
本発明は、画像表示制御装置に関し、特に記録媒体に記録された画像データを表示するための画像表示制御装置、および、これらにおける処理方法ならびに当該方法をコンピュータに実行させるプログラムに関する。
【背景技術】
【０００２】
近年、記録媒体の大容量化に伴い、撮像装置による撮像可能枚数が増えている。これにより、撮像者による撮像態様も変化しており、同一被写体に関する撮像枚数も増す傾向にある。すなわち、同じような撮像内容を有する画像データが複数存在するようになっている。このように、画像データの数が多くなり、しかも互いに同じような内容を有する画像データが増えてくると、画像データの管理が煩雑になってくる。
【０００３】
これに対し、従来の画像表示制御装置では、画像データを撮像日時や特定のカテゴリに分類して表示している。例えば、画像ファイルをカテゴリに分類して管理する情報処理装置が提案されている（例えば、特許文献１参照。）。
【特許文献１】特開２００５−３３７１１号公報（図１）
【発明の開示】
【発明が解決しようとする課題】
【０００４】
しかしながら、同じような撮像内容を有する画像データが複数存在する場合、それらを撮像順に逐一閲覧すると、同じような画像データを何度も閲覧することになり、頻繁に画像データをスキップせざるを得なくなる。また、撮像者が気の向くままに撮像したような場合には、同じ被写体が時系列に撮像されるとは限らず、必要な画像データを探すことが困難になる。
【０００５】
一方、画像データをカテゴリに分類するためには、何らかの基準でカテゴリを付与する必要があるが、どのようなレベルのカテゴリが適切であるかは画像データの内容に依存するものであり、必ずしも容易な作業ではない。
【０００６】
そこで、本発明は、撮像された画像データ間の関連性を柔軟に管理して、関連した複数の画像データの閲覧を容易にすることを目的とする。
【課題を解決するための手段】
【０００７】
本発明は、上記課題を解決するためになされたものであり、その第１の側面は、複数の画像データを保持する画像データ保持手段と、上記複数の画像データにおける２つの画像データの間で親画像データと子画像データの親子関係を表すリンクを管理するリンク管理手段と、上記複数の画像データの表示に関する操作入力を受け付ける操作受付手段と、上記操作入力に基づいて上記複数の画像データの全てを表示対象とする全表示と上記複数の画像データのうち上記リンクによって子画像データとなる画像データ以外を表示対象とするダイジェスト表示とを切り替えるように制御する表示制御手段とを具備することを特徴とする画像表示制御装置である。これにより、画像データ間の親子関係に関するリンクに基づいて、画像データを全表示またはダイジェスト表示に切り替えて、閲覧を容易にさせるという作用をもたらす。
【０００８】
また、この第１の側面において、上記表示制御手段は、上記全表示においては子画像データをその親画像データの後ろに表示するように制御してもよい。これにより、全表示によって表示される画像データの親子関係を明示させるという作用をもたらす。
【０００９】
また、この第１の側面において、上記画像データ保持手段は、上記複数の画像データのそれぞれに付随して所定の日時を保持し、上記表示制御手段は、上記リンクによって子画像データとなる画像データ以外については各画像データに付随する上記所定の日時に応じて時系列に表示するように制御してもよい。これにより、親画像データおよびリンクの無い画像データを時系列に表示させるという作用をもたらす。
【００１０】
また、この第１の側面において、上記表示制御手段は、上記全表示においては子画像データを親画像データよりも小さく表示するように制御してもよい。これにより、全表示によって表示される画像データの親子関係を明示させるという作用をもたらす。
【００１１】
また、この第１の側面において、上記画像データ保持手段は、上記複数の画像データのそれぞれに付随してその画像データを隠すか否かを示す隠し画像属性を保持し、上記表示制御手段は、上記隠し画像属性により隠す旨を設定された画像データについて表示するか否かを上記操作入力に基づいて制御してもよい。これにより、隠し画像属性の画像データの表示の有無を所定の操作入力に基づいて変更させるという作用をもたらす。この場合において、上記表示制御手段は、上記隠し画像属性により隠す旨を設定された画像データを表示する場合には半透明に表示するように制御してもよい。これにより、隠し画像属性が設定された画像データであることを明示させるという作用をもたらす。
【００１２】
また、この第１の側面において、上記操作受付手段は、上記複数の画像データにおける上記第１の画像データを示す表示領域に対して上記第２の画像データを示すアイコンを重ねる操作を受け付け、上記表示制御手段は、上記第１の画像データを親画像データとして上記第２の画像データを子画像データとする新たなリンクを上記リンク管理手段に保持させてもよい。これにより、画像データを示すアイコンの重ね合わせる操作によって画像データの親子関係に関するリンクを設定させるという作用をもたらす。
【００１３】
また、この第１の側面において、上記操作受付手段は、リンク解除を受け付ける領域に対して上記複数の画像データの何れかを示すアイコンを重ねる操作を受け付け、上記表示制御手段は、上記アイコンに示される画像データに関連するリンクを上記リンク管理手段に解除させてもよい。これにより、リンク解除を受け付ける領域に対して画像データの示されたアイコンを重ね合わせる操作によって、画像データに関するリンクを解除させるという作用をもたらす。
【００１４】
また、この第１の側面において、上記リンク管理手段は、上記親画像データにおける特定の位置と上記子画像データの親子関係を表すリンクをさらに管理し、上記表示制御手段は、上記親画像データにおける上記特定の位置に上記子画像データを示す表示を行うよう制御してもよい。これにより、親画像データの特定の位置と子画像データとの関連性を示すリンクに基づいて、親画像データから連想される子画像データの閲覧を容易にさせるという作用をもたらす。この場合において、上記操作受付手段は、上記複数の画像データにおける上記第１の画像データを示す表示領域の特定の位置に対して上記第２の画像データを示すアイコンを重ねる操作を受け付け、上記表示制御手段は、上記第１の画像データの上記特定の位置を親画像データの特定の位置として上記第２の画像データを子画像データとする新たなリンクを上記リンク管理手段に保持させることを特徴とする。これにより、親画像データの特定の位置に対して子画像データのリンクを設定させるという作用をもたらす。
【００１５】
また、本発明の第２の側面は、複数の画像データを保持する画像データ保持手段と、上記複数の画像データにおける２つの画像データの間で親画像データと子画像データの親子関係を表すリンクを管理するリンク管理手段とを備える画像表示制御装置における画像表示制御方法であって、上記複数の画像データの表示に関する操作入力を受け付ける操作受付手順と、上記操作入力に基づいて上記複数の画像データの全てを表示対象とする全表示と上記複数の画像データのうち上記リンクによって子画像データとなる画像データ以外を表示対象とするダイジェスト表示とを切り替える表示制御手順とを具備することを特徴とする画像表示制御方法またはこれら手順をコンピュータに実行させることを特徴とするプログラムである。これにより、画像データ間の親子関係に関するリンクに基づいて、画像データを全表示またはダイジェスト表示に切り替えて、閲覧を容易にさせるという作用をもたらす。
【発明の効果】
【００１６】
本発明によれば、撮像された画像データ間の関連性を柔軟に管理して、関連した複数の画像データの閲覧を容易にするという優れた効果を奏し得る。
【発明を実施するための最良の形態】
【００１７】
次に本発明の実施の形態について図面を参照して詳細に説明する。
【００１８】
図１は、本発明の実施の形態における画像表示制御装置１００の機能構成例を示すブロック図である。
【００１９】
この画像表示制御装置１００は、操作受付部１１０と、画像データベース１２０と、リンク管理データベース１３０と、表示状態保持部１４０と、表示制御部１５０と、表示部１６０とを備える。
【００２０】
操作受付部１１０は、画像データ間の関連性に関する操作入力を受け付けて、表示制御部１５０に供給するものである。この操作受付部１１０は、例えばマウス等の入力機器によって実現される。
【００２１】
画像データベース１２０は、表示部１６０に表示される画像データとその画像データに付随するメタデータを格納するものである。このメタデータには、画像データの撮像日時や撮像環境等が含まれる。
【００２２】
リンク管理データベース１３０は、画像データベース１２０に格納されている複数の画像データ間の親子関係を表すリンクを管理するものである。このリンクにより、２つの画像データの間で一方が親画像データとなり、他方が子画像データとなる。すなわち、複数の関連した画像データが存在する場合、その代表画像データが親画像データであり、それ以外が子画像データとなる。このリンクは、操作受付部１１０によって受け付けられたリンクに関する操作入力に基づいて、表示制御部１５０によって更新される。
【００２３】
表示状態保持部１４０は、複数の表示画面の中で表示部１６０に表示されている表示画面が何れであるかを示す表示状態を保持するものである。この表示状態保持部１４０に保持される表示状態は、操作受付部１１０によって受け付けられた表示の切替に関する操作入力に基づいて、表示制御部１５０によって更新される。
【００２４】
表示制御部１５０は、表示部１６０に表示される画像データの表示状態を制御するものである。この表示制御部１５０は、操作受付部１１０によって受け付けられた操作入力、表示状態保持部１４０によって保持される表示状態、画像データベース１２０によって保持される画像データ、および、リンク管理データベースによって管理されるリンクに基づいて表示状態を制御する。その結果、表示状態保持部１４０に保持される表示状態が更新される。また、この表示制御部１５０は、操作受付部１１０によって受け付けられた操作入力に基づいてリンク管理データベース１３０を更新する。
【００２５】
表示部１６０は、表示制御部１５０からの制御に従って画像データ等の表示画像を表示するものである。この表示部１６０は、例えばＬＣＤ（Liquid Crystal Display）等により実現される。
【００２６】
図２は、本発明の実施の形態におけるリンク管理データベース１３０のデータ構造の一例を示す図である。リンク管理データベース１３０では、画像データ間の親子関係を表すリンクに関する情報が管理されている。この図において、親画像データ＃Ａ乃至Ｃ（３１０乃至３３０）、非リンク画像データ３４０および子画像データ＃Ａ乃至Ｈ（３５０乃至４２０）は、それぞれ画像データベース１２０における画像データに対応しており、各画像データに対するポインタを備えている。また、リンク４３１乃至４３７は、画像データ間の親子関係を表している。この図において、親画像データ＃Ａ乃至Ｃ（３１０乃至３３０）は、何れかの子画像データ＃Ａ乃至Ｈ（３５０乃至４２０）との間にリンク（４３１乃至４３８）を有する。
【００２７】
親画像データ＃Ａ（３１０）は、子画像データ＃Ａおよび＃Ｂ（３５０および３６０）との間にリンクを有している。親画像データ＃Ｂ（３２０）は、子画像データ＃Ｃ（３７０）との間にリンクを有している。親画像データ＃Ｃ（３３０）は、子画像データ＃Ｄ乃至Ｈ（３８０乃至４２０）との間にリンクを有している。また、非リンク画像データ３４０は、リンクの無い画像データである。このように、リンク管理データベース１３０には、画像データ間の親子関係を示すリンクがデータベースとして管理されている。
【００２８】
また、このリンク管理データベース１３０において管理されるリンクは、操作受付部１１０によって受け付けられたリンクの設定または解除に関する操作入力に基づいて更新される。例えば、子画像データ＃Ａ（３５０）の親画像データを親画像データ＃Ｂ（３２０）に変更する操作入力が行われた場合、子画像データ＃Ａ（３５０）と親画像データ＃Ａ（３１０）との間のリンク４３１は解消され、子画像データ＃Ｃ（３７０）と同様に親画像データ＃Ｂ（３２０）との間に新たなリンクが設定される。
【００２９】
図３は、本発明の実施の形態における表示部１６０に表示される表示画面６００の例を示す図である。
【００３０】
この表示画面６００において、左上方の画像データ表示領域６１０には、縮小画像（サムネイル）によって複数の画像データを表示する「インデックス表示モード」と、画像データ表示領域６１０の全体に一つの画像データを表示する「再生表示モード」の何れかによって画像データが表示される。インデックス表示モードによる表示をインデックス表示、再生表示モードによる表示を再生表示という。インデックス表示モードにおいては、複数の画像データの何れが選択されているかを示す画像枠６１３が表示される。
【００３１】
また、インデックス表示モードにおける表示態様としては、全ての画像データを表示対象とする「全表示」と、子画像データを表示対象としない「ダイジェスト表示」とがある。この図は、インデックス表示モードにおける全表示の表示態様を表している。全表示の場合、子画像データ６１２は親画像データ６１１の後に配置され、親画像データ６１１よりも小さく表示される。
【００３２】
また、表示画面６００の右上方には、隠し画像表示チェックボックス６２０と、子画像表示チェックボックス６３０と、表示切替ボタン６４０とが表示される。
【００３３】
隠し画像表示チェックボックス６２０は、隠し画像属性が設定された画像データを画像データ表示領域６１０に表示させるか否かを示すチェックボックスである。ここで、隠し画像属性とは、画像データに付随する属性であり、画像データの表示を抑止させるための属性である。これを利用することにより、他人に見せたくない画像データの表示を抑止することができる。この図において、隠し画像表示チェックボックス６２０のチェックボックスにはチェックが入っていないため、画像データ表示領域６１０には、隠し画像属性が設定された画像データは表示されてない。なお、後述（図６）のように、隠し画像表示チェックボックス６２０のチェックボックスにチェックが入っている場合には、隠し画像属性が設定された画像データも表示される。この隠し画像表示チェックボックス６２０のチェックボックスは、マウスやタッチパネル等の入力機器によってクリックされるとチェックの有無が切り替わる。そのため、使用者は、隠し画像表示チェックボックス６２０のクリックによって、隠し画像属性が設定された画像データを表示するか否かを切り替えることができる。
【００３４】
子画像表示チェックボックス６３０は、ダイジェスト表示において子画像データが表示されるか否かを示すチェックボックスである。この図において、子画像表示チェックボックス６３０のチェックボックスにはチェックが入っているため、画像データ表示領域６１０には、画像データの全てが表示されている。なお、後述（図５）のように、子画像表示チェックボックス６３０のチェックボックスにチェックが入っていない場合は、画像データ表示領域６１０には、子画像データ以外の画像データが表示される。この子画像表示チェックボックス６３０のチェックボックスは、マウスやタッチパネル等の入力機器によってクリックされるとチェックの有無が切り替わる。そのため、使用者は、子画像表示チェックボックス６３０をクリックすることによって、全表示とダイジェスト表示とを切り替えることができる。
【００３５】
表示切替ボタン６４０は、画像データ表示領域６１０において複数の縮小画像を表示対象とするインデックス表示と、一つの画像データを表示対象とする再生表示とを切り替えるものである。このインデックス表示およびダイジェスト表示は、表示切替ボタン６４０がマウスやタッチパネル等の入力機器によってクリックされると相互に切り替わるようになっている。また、表示切替ボタン６４０には、この表示切替ボタン６４０がクリックされることにより何れの表示モードに切り替わるかが表示される。この図の表示切替ボタン６４０には「再生画面へ」と表示されており、表示切替ボタン６４０をクリックすることにより、再生表示に切り替わることを示している。すなわち、現在の画像データ表示領域６１０における表示がインデックス表示であることを意味している。なお、後述（図５）のように、表示切替ボタン６４０に「インデックス表示画面へ」と表示されている場合には表示切替ボタン６４０をクリックすることにより、インデックス表示に切り替わることを示し、その際の画像データ表示領域６１０における表示が再生表示であることを意味する。
【００３６】
表示画面６００の右方には、リンク解除領域６５０と、隠し属性設定領域６６０と、隠し属性解除領域６７０とが表示される。
【００３７】
リンク解除領域６５０は、画像データの親子関係を示すリンクを解除する領域である。このリンクの解除は、表示画面６００に表示される何れかの画像データのアイコンをリンク解除領域６５０に対して重ね合せることによって行われる。その結果、重ね合せられた画像データと親子関係にある画像データとの間のリンクがリンク管理データベース１３０から削除される。そのため、重ね合せられた画像データおよびその画像データと親子関係にある画像データは、リンク管理データベース１３０によってリンクの無い画像データ（非リンク画像データ）として管理される。特に、重ね合せられた画像データが親画像データの場合、親画像データおよびその子画像データの全てのリンクが解除されることになる。
【００３８】
隠し属性設定領域６６０および隠し属性解除領域６７０は、それぞれ画像データに対して隠し画像属性を設定および解除するための領域である。この画像データに対する隠し画像属性の設定または解除は、表示画面６００に表示される画像データのアイコンを隠し属性設定領域６６０または隠し属性解除領域６７０に対して重ね合せることによって行われる。すなわち、画像データのアイコンを隠し属性設定領域６６０に重ね合わせることよって画像データに隠し画像属性が設定され、画像データのアイコンを隠し属性解除領域６７０に重ね合わせることよって画像データの隠し画像属性が解除される。
【００３９】
表示画面６００の下方には、画像操作領域７００が表示される。この画像操作領域７００は、画像データ表示領域６１０に表示される画像データを操作するための領域である。この画像操作領域７００は、親画像領域６８０と、子画像領域６９０と、選択枠７１０と、左矢印ボタン７２０と、右矢印ボタン７３０とを備えている。
【００４０】
親画像領域６８０は、子画像領域６９０に表示される一つまたは複数の画像データを代表する画像データ７１１が表示されるものである。その際、親画像領域６８０には、画像データ間のリンクに基づいて親画像データ、または、リンクの無い画像データが表示される。この親画像領域６８０における画像データの表示は、左矢印ボタン７２０または右矢印ボタン７３０がマウスやタッチパネル等の入力機器によってクリックされることによって移動する。
【００４１】
選択枠７１０は、親画像領域６８０または子画像領域６９０に表示される画像データの移動によって選択枠７１０に囲まれた画像データを選択するためのものである。
【００４２】
子画像領域６９０は、親画像領域６８０に表示される選択枠７１０に囲まれた画像データ７１１と関連性のある画像データを表示するものである。すなわち、子画像領域６９０には、選択枠７１０に囲まれた画像データ７１１が親画像データであればその親画像データおよびその親画像データとリンクしている子画像データが表示され、選択枠７１０に囲まれた画像データ７１１がリンクの無い画像データであればそのリンクの無い画像データそのものが表示される。この子画像領域６９０における画像データの表示は、左矢印ボタン７２０または右矢印ボタン７３０がマウスやタッチパネル等の入力機器によってクリックされることによって移動する。
【００４３】
その際、ダイジェスト表示の場合は、親画像領域６８０に表示される選択枠７１０に囲まれた画像データが選択され、この選択された画像データに基づいて、対応する画像データの周りに画像枠６１３が表示される。一方、全表示の場合は、子画像領域６９０に表示される選択枠７１０に囲まれた画像データが選択され、この選択された画像データに基づいて、対応する画像データの周りに画像枠６１３が表示される。また、再生表示の場合は、子画像領域６９０に表示される選択枠７１０に囲まれた画像データが選択され、この選択された画像データのみが画像データ表示領域６１０に表示される。
【００４４】
この画像枠６１３は、画像データ表示領域６１０における画像データがマウス等の入力機器により操作されることによっても移動する。その際、画像操作領域７００において選択枠７１０に囲まれる画像データは、画像データ表示領域６１０においてクリックされた画像データに基づいて変更される。
【００４５】
図４は、本発明の実施の形態における画像データ表示領域６１０の表示画像がダイジェスト表示である場合の表示画面６００の一例を示す図である。この図において、表示切替ボタン６４０には「再生画面へ」と表示されており、表示切替ボタン６４０のクリックによって画像データ表示領域６１０における表示状態が再生表示に切り替わることを表している。すなわち、画像データ表示領域６１０に表示されている表示状態がインデックス表示であることを意味している。また、この図において、子画像表示チェックボックス６３０のチェックボックスにはチェックが無い。すなわち、子画像データ以外の画像データを表示対象とするダイジェスト表示であることが示されている。
【００４６】
この例では、画像データ表示領域６１０には、親画像データおよび非リンク画像データが表示される。その際、選択されている画像データ６１４が親画像データである場合、その親画像データの子画像データは、子画像領域６９０に表示される。そのため、使用者は、画像データ表示領域６１０に表示される画像データ６１４に関連した子画像データを子画像領域６９０において確認することができる。なお、画像操作領域７００において親画像領域６８０に表示される親画像データが選択されると、その親画像データとリンクしている子画像データが子画像領域６９０に表示される。また、画像データ表示領域６１０に表示される画像データ６１４は、例えば画像データベース１２０に保持される撮像された日時に基づいて時系列に表示される。
【００４７】
図５は、本発明の実施の形態における画像データ表示領域６１０の表示画像が再生表示である場合の表示画面６００の一例を示す図である。この図において、表示切替ボタン６４０には「インデックス表示画面へ」と表示されている。この表示は、表示切替ボタン６４０をクリックすることによって、インデックス表示に切り替わることを示している。すなわち、画像データ表示領域６１０における表示状態は再生表示であることを意味している。なお、再生表示においては、子画像表示チェックボックス６３０のチェックの有無に関わらず、画像データ表示領域６１０には子画像データは表示されない。
【００４８】
この例では、画像データ表示領域６１０には、一つの画像データのみ表示されている。この場合、表示制御部１５０は、子画像領域６９０において選択枠７１０に囲まれた画像データ７１２に基づいて画像データを画像データ表示領域６１０に表示させる。この画像データ７１２は、上述のように、左矢印ボタン７２０および右矢印ボタン７３０のクリックによって変更される。
【００４９】
図６は、本発明の実施の形態における隠し画像属性が設定された画像データの表示画面６００の一例を示す図である。この図において、隠し画像表示チェックボックス６２０のチェックボックスにはチェックが入っている。そのため、隠し画像属性の設定された画像データも画像データ表示領域６１０に表示される。また、親画像領域６８０および子画像領域６９０にも、隠し画像属性の設定された画像データが表示される。この隠し画像属性の設定された画像データ６１５は、他の画像データとは異なる態様で表示してもよい。例えば、半透明に表示することにより隠し画像属性が設定されていることを示してもよい。一方、隠し画像表示チェックボックス６２０のチェックボックスにチェックが入っていない場合には、画像データ表示領域６１０、親画像領域６８０および子画像領域６９０には隠し画像属性の設定された画像データは表示されない。
【００５０】
図７は、本発明の実施の形態におけるインデックス表示モードにおいて画像データにリンクを設定する方法を示す図である。
【００５１】
一つ目のリンク設定方法として、画像データ表示領域６１０に表示される画像データ６１６を他の画像データ６１７に重ね合わせて（７４０）、新たなリンクを設定する方法が考えられる。すなわち、画像データ６１６のアイコンを画像データ６１７に重ね合わせること（ドラッグ＆ドロップ）により親子関係を入力する方法である。その結果、画像データ６１７が非リンク画像データまたは親画像データである場合、画像データ６１６およびその子画像データは、リンク管理データベース１３０によって、画像データ６１７の子画像データとして管理されるようになる。一方、画像データ６１７が子画像データである場合は、画像データ６１６およびその子画像データは、画像データ６１７と同一の親画像データを持つ子画像データとして管理されるようになる。
【００５２】
二つ目のリンク設定方法として、子画像領域６９０に表示される画像データ７５０を親画像領域６８０に表示される画像データ７６０に重ね合わせて（７７０）、新たなリンクを設定する方法が考えられる。この結果、画像データ７５０は、画像データ７６０の子画像データとして管理されるようになる。
【００５３】
三つ目のリンク設定方法として、親画像領域６８０に表示される画像データ７８０を親画像領域６８０に表示される他の画像データ７６０に重ね合わせて（７９０）、新たなリンクを設定する方法がある。その結果、画像データ７８０およびその子画像データは、画像データ７６０の子画像データとして管理されるようになる。
【００５４】
図８は、本発明の実施の形態におけるインデックス表示モードにおける画像データのリンクを解除する方法を示す図である。
【００５５】
一つ目のリンク解除方法として、画像データ表示領域６１０に表示される画像データ６１８をリンク解除領域６５０に重ね合わせて（８００）、画像データ６１８およびその子画像データのリンクを解除する方法が考えられる。その結果、画像データ６１８およびその子画像データは、非リンク画像データとして管理されるようになる。
【００５６】
二つ目のリンク解除方法として、親画像領域６８０に表示される画像データ８１０をリンク解除領域６５０に重ね合わせて（８２０）、画像データ８１０およびその子画像データのリンクを解除する方法が考えられる。その結果、画像データ８１０およびその子画像データは、非リンク画像データとして管理されるようになる。
【００５７】
三つ目のリンク解除方法として、子画像領域６９０に表示される画像データ８３０をリンク解除領域６５０に重ね合わせて（８４０）、画像データ８３０のリンクを解除する方法が考えられる。その結果、画像データ８３０は、非リンク画像データとして管理されるようになる。
【００５８】
図９は、本発明の実施の形態における再生表示モードにおいて画像データにリンクを設定する方法を示す図である。この図において、画像データ表示領域６１０には、子画像領域６９０の画像データ８５０に対応する画像データ６１９が表示されている。
【００５９】
一つ目のリンク設定方法として、親画像領域６８０に表示される画像データ８６０を画像データ６１９に重ね合わせて（８７０）、新たなリンクを設定する方法が考えられる。その結果、画像データ６１９が非リンク画像データまたは親画像データである場合、画像データ８６０は、画像データ６１９の子画像データとして管理されるようになる。一方、画像データ６１９が子画像データである場合、画像データ８６０は、画像データ６１９と同一の親画像データを持った子画像データとして管理されるようになる。
【００６０】
二つ目のリンク設定方法として、画像データ６１９を親画像領域６８０に表示される画像データ８８０に重ね合わせて（８９０）、新たなリンクを設定する方法が考えられる。その結果、画像データ６１９は、画像データ８８０の子画像として管理されるようになる。
【００６１】
図１０は、本発明の実施の形態における再生表示モードにおいて画像データのリンクを解除する方法の一例を示す図である。
【００６２】
一つ目のリンク解除方法として、画像データ表示領域６１０に表示される画像データ６２１をリンク解除領域６５０に重ね合わせて（９００）、画像データ６２１およびその子画像データのリンクを解除する方法が考えられる。その結果、画像データ６２１およびその子画像データは、非リンク画像データとして管理されるようになる。
【００６３】
二つ目のリンク解除方法として、親画像領域６８０に表示される画像データ９１０をリンク解除領域６５０に重ね合わせて（９２０）、画像データ９１０およびその子画像データのリンクを解除する方法が考えられる。その結果、画像データ９１０およびその子画像データは、非リンク画像データとして管理されるようになる。
【００６４】
三つ目のリンク解除方法として、子画像領域６９０に表示される画像データ９３０をリンク解除領域６５０に重ね合わせて（９４０）、画像データ９３０のリンクを解除する方法がある。その結果、画像データ９３０は、非リンク画像データとして管理されるようになる。
【００６５】
図１１は、本発明の実施の形態における隠し画像属性の設定方法を示す図である。
【００６６】
一つ目の隠し画像属性の設定方法として、画像データ表示領域６１０に表示される画像データ６２２を隠し属性設定領域６６０に重ね合わせて（６６１）、画像データ６２２に隠し画像属性を設定する方法が考えられる。なお、画像データ６２２が親画像データである場合は、画像データ６２２およびその子画像データに隠し画像属性が設定される。
【００６７】
二つ目の隠し画像属性の設定方法として、親画像領域６８０に表示される画像データ６６２を隠し属性設定領域６６０に重ね合わせて（６６３）、画像データ６６２およびその子画像データに隠し画像属性を設定する方法が考えられる。
【００６８】
三つ目の隠し画像属性の設定方法として、子画像領域６９０に表示される画像データ６６４を隠し属性設定領域６６０に重ね合わせて（６６５）、画像データ６６４に隠し画像属性を設定する方法が考えられる。
【００６９】
図１２は、本発明の実施の形態における隠し画像属性の解除方法を示す図である。
【００７０】
一つ目の隠し画像属性の解除方法として、画像データ表示領域６１０に表示される画像データ６２３を隠し属性解除領域６７０に重ね合わせて（６７１）、画像データ６２３の隠し画像属性を解除する方法が考えられる。なお、画像データ６２３が親画像データである場合は、画像データ６２３およびその画像データの隠し画像属性が解除される。
【００７１】
二つ目の隠し画像属性の解除方法として、親画像領域６８０に表示される画像データ６７２を隠し属性解除領域６７０に重ね合わせて（６７３）、画像データ６７３およびその子画像データの隠し画像属性を解除する方法が考えられる。
【００７２】
三つ目の隠し画像属性の解除方法として、子画像領域６９０に表示される画像データ６７４を隠し属性解除領域６７０に重ね合わせて（６７５）、画像データ６７４の隠し画像属性を解除する方法が考えられる。
【００７３】
図１３は、本発明の実施の形態における画像表示制御装置１００の処理手順例を示すフローチャートである。
【００７４】
まず、操作受付部１１０において、操作入力の検出がされたか否かが判断される（ステップＳ９１１）。その際、操作入力の検出がされていない場合には、操作入力の検出がされるまで待機する。
【００７５】
一方、操作入力の検出がされた場合には、その操作入力がクリック動作であるか否かが判断される（ステップＳ９１２）。その際、ステップＳ９１１において検出された操作入力がクリック動作である場合には（ステップＳ９１２）、クリック処理が行われる（ステップＳ９２０）。
【００７６】
一方、ステップＳ９１１において検出された操作入力がクリック動作でない場合には（ステップＳ９１２）、ステップＳ９１１において検出された操作入力が画像データを示すアイコンのドラッグ＆ドロップ動作であるか否かが判断される（ステップＳ９５１）。そして、ステップＳ９１１において検出された操作入力が画像データを示すアイコンのドラッグ＆ドロップ動作である場合には（ステップＳ９５１）、ドラッグ＆ドロップ処理が行われる（ステップＳ９６０）。
【００７７】
一方、ステップＳ９１１において検出された操作入力が画像データを示すアイコンのドラッグ＆ドロップ動作でない場合には（ステップＳ９５１）、ステップＳ９１１に進み、上述の操作を繰り返す。
【００７８】
図１４は、本発明の実施の形態におけるクリック処理（ステップＳ９２０）の処理手順例の前半を示すフローチャートである。
【００７９】
まず、ステップＳ９１１においてクリックされた場所が子画像表示チェックボックス６３０である場合には（ステップＳ９２１）、全ての画像データを表示する全表示であるか否かが判断される（ステップＳ９２２）。その結果、全表示でない場合には、全表示へ遷移する（ステップＳ９２３）。一方、全表示である場合には、子画像データ以外の画像データを画像データ表示領域６１０に表示するダイジェスト表示へ遷移する（ステップＳ９２４）。
【００８０】
次に、ステップＳ９１１においてクリックされた場所が表示切替ボタン６４０である場合には（ステップＳ９２５）、画像データ表示領域６１０に一つだけ画像データが表示される再生表示であるか否かが判断される（ステップＳ９２６）。その結果、再生表示でない場合には、再生表示へ遷移する（ステップＳ９２７）。一方、再生表示である場合には、画像データ表示領域６１０に複数の画像データが表示されるインデックス表示へ遷移する（ステップＳ９２８）。
【００８１】
次に、ステップＳ９１１においてクリックされた場所が隠し画像表示チェックボックス６２０である場合には（ステップＳ９２９）、画像データ表示領域６１０に隠し画像属性の設定された画像データが表示される状態であるか否かが判断される（ステップＳ９３１）。その結果、隠し画像が表示されない状態である場合には、隠し画像が表示される状態へ遷移する（ステップＳ９３２）。一方、隠し画像が表示される状態である場合には、隠し画像が表示されない状態へ遷移する（ステップＳ９３３）。
【００８２】
図１５は、本発明の実施の形態におけるクリック処理（ステップＳ９２０）の処理手順例の後半を示すフローチャートである。
【００８３】
まず、ステップＳ９１１においてクリックされた場所がインデックス表示によって表示される画像データである場合には（ステップＳ９３４）、画像枠６１３がクリックされた画像データに移動し、その画像データが選択される（ステップＳ９３５）。そして、画像操作領域７００において選択される画像データが、画像枠６１３の移動に基づいて変更される（ステップＳ９３６）。
【００８４】
次に、ステップＳ９１１においてクリックされた場所が画像操作領域７００における左矢印ボタン７２０または右矢印ボタン７３０である場合には（ステップＳ９３７）、画像操作領域７００において選択される画像が変更される（ステップＳ９３８）。そして、画像データ表示領域６１０の表示状態がインデックス表示モードであるか否かが判断される（ステップＳ９３９）。その結果、インデックス表示モードではない場合には、画像データ表示領域６１０の画像データは再生表示モードによって表示される。そのため、再生表示によって表示される画像データが他の画像データに切り替わる（ステップＳ９４１）。一方、インデックス表示モードである場合には、画像データ表示領域６１０の画像枠６１３がステップＳ９３８において選択された画像データに移動する（ステップＳ９４２）。
【００８５】
図１６は、本発明の実施の形態におけるドラッグ＆ドロップ処理（ステップＳ９６０）の処理手順例を示すフローチャートである。
【００８６】
まず、クリックが解除された位置（ドロップ位置）が画像データであるか否かが判断される（ステップＳ９６１）。その結果、ドロップ位置が画像データである場合には、ドラックされた画像データを子画像データとし、ドロップされた位置の画像データを親画像データとしてリンクの設定がされる（ステップＳ９６２）。
【００８７】
次に、ドロップ位置がリンク解除領域６５０であるか否かが判断される（ステップＳ９６３）。その結果、ドロップ位置がリンク解除領域６５０である場合には、ドラッグされた画像データのリンクが解除される（ステップＳ９６４）。
【００８８】
次に、ドロップ位置が隠し属性設定領域６６０であるか否かが判断される（ステップＳ９６５）。その結果、ドロップ位置が隠し属性設定領域６６０である場合には、ドラッグされた画像データに隠し画像属性が設定される（ステップＳ９６６）。
【００８９】
次に、ドロップ位置が隠し属性解除領域６７０であるか否かが判断される（ステップＳ９６７）。その結果、ドロップ位置が隠し属性解除領域６７０である場合には、ドラッグされた画像データの隠し画像属性が解除される（ステップＳ９６８）。
【００９０】
このように、本発明の実施の形態によれば、複数の画像データの間の関連性を示すリンクをリンク管理データベース１３０において管理することにより、このリンクに基づいて表示状態をダイジェスト表示または全表示に切り替えることができる。これにより、関連する複数の画像データの閲覧を容易にすることができる。また、このリンクは、表示画面６００におけるドロップ＆ドロップ等の簡単な操作入力によって適宜変更することができる。
【００９１】
なお、本発明の実施の形態では、画像データ間の関連性として親子関係を挙げて説明したが、これに限定されるものではない。例えば、子画像データに従属する孫画像データについても、画像操作領域７００に孫画像データに対応する孫データ領域を追加し、リンク管理データベース１３０に孫画像データに関するリンクを追加することによって画像データ表示領域の表示対象とすることができる。
【００９２】
また、本発明の実施の形態では、画像データを単位として関連性を示すリンクを設定したが、以下に説明する変形例のように画像データ内の位置（座標）と他の画像データとの関連性を示すリンクを設定してもよい。
【００９３】
図１７は、本発明の実施の形態の変形例における画像データのリンク設定例を示す図である。
【００９４】
図１７（ａ）は、リンク設定が行われる画像データの表示画像を示している。第１の画像データ５００は、飛行機５０１および山５０２を被写体とする撮像画像の画像データである。この変形例において、第１の画像データ５００は、親画像データであることを想定している。第２の画像データ５１０は、飛行機５１１および飛行場５１２を被写体とする撮像画像の画像データである。本発明の実施の形態の変形例において、第２の画像データ５１０は、第１の画像データ５００の飛行機５０１に関連する子画像データであることを想定している。また、第３の画像データ５２０は、山５２１と月５２２を被写体とする撮像画像の画像データである。本発明の実施の形態の変形例において、第３の画像データ５２０は、第１の画像データ５００の山５０２に関連する子画像データであることを想定している。また、第１の画像データ５００、第２の画像データ５１０および第３の画像データ５２０は、画像データベース１２０によって保持される。
【００９５】
図１７（ｂ）には、画像データのリンク設定動作が示されている。この図において、第１の画像データ５００において飛行機５０１の位置に、第２の画像データ５１０のアイコンをドラッグ＆ドロップにより重ね合わせられる（５３０）様子を示している。これにより、表示制御部１５０は、クリックが解除された位置（ドロップ位置）の座標を取得する。そして、表示制御部１５０は、取得した座標に基づいて第１の画像データ５００におけるドロップ位置と第２の画像データ５１０との間のリンクを生成する。このリンクは、表示制御部１５０の制御に従って、リンク管理データベース１３０に保存される。
【００９６】
さらに、第１の画像データ５００において山５０２の位置に、第３の画像データ５２０のアイコンを重ね合わせられる（５４０）様子を示している。これにより、表示制御部１５０は、ドロップ位置の座標を取得する。そして、表示制御部１５０は、取得した座標に基づいて第１の画像データ５００におけるドロップ位置と第３の画像データ５２０との間のリンクを生成する。このリンクは、表示制御部１５０の制御に従って、リンク管理データベース１３０に保存される。
【００９７】
図１７（ｃ）には、リンク設定後の第１の画像データ５００が示されている。この図において、第１の画像データ５００には、第１のボタン５５０および第２のボタン５６０が埋め込まれている。この第１のボタン５５０は、第２の画像データ５１０のドロップ位置に対応するボタンである。また、第２のボタン５６０は、第３の画像データ５２０のドロップ位置に対応するボタンである。これら第１および第２のボタン（５５０および５６０）の座標に関する情報は、リンク管理データベース１３０に保持される。
【００９８】
図１８は、本発明の実施の形態の変形例における画像データのリンク利用例を示す図である。この図において、第１の画像データ５００には、第１のボタン５５０および第２のボタン５６０が埋め込まれている。この場合において、第１のボタン５５０がクリック５７０されると、第２の画像データ５１０が第１の画像データ５００の上に重ねて表示される。一方、第２のボタン５６０がクリック５８０されると、第３の画像データ５２０が表示される。
【００９９】
このように、本発明の実施の形態の変形例によれば、親画像データの特定の位置（座標）と子画像データとの関連性を示すリンクをリンク管理データベース１３０において管理することにより、親画像データから連想される他の画像データの閲覧を容易にすることができる。
【０１００】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１０１】
すなわち、請求項１において、画像データ保持手段は例えば画像データベース１２０に対応する。また、リンク管理手段は例えばリンク管理データベース１３０に対応する。また、操作受付手段は例えば操作受付部１１０に対応する。また、表示制御手段は例えば表示制御部１５０に対応する。
【０１０２】
また、請求項１１および１２において、画像データ保持手段は例えば画像データベース１２０に対応する。また、リンク管理手段は例えばリンク管理データベース１３０に対応する。また、操作受付手順は例えばステップＳ９１１に対応する。また、表示制御手順は例えばステップＳ９２１およびＳ９２４に対応する。
【０１０３】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１０４】
【図１】本発明の実施の形態における画像表示制御装置１００の機能構成例を示すブロック図である。
【図２】本発明の実施の形態におけるリンク管理データベース１３０のデータ構造の一例を示す図である。
【図３】本発明の実施の形態における画像データ表示領域６１０の表示画像が全表示である場合の表示部１６０に表示される表示画面６００の例を示す図である。
【図４】本発明の実施の形態における画像データ表示領域６１０の表示画像がダイジェスト表示である場合の表示画面６００の一例を示す図である。
【図５】本発明の実施の形態における画像データ表示領域６１０の表示画像が再生表示である場合の表示画面６００の一例を示す図である。
【図６】本発明の実施の形態における隠し画像属性が設定された画像データの表示画面６００の一例を示す図である。
【図７】本発明の実施の形態におけるインデックス表示モードにおいて画像データにリンクを設定する方法を示す図である。
【図８】本発明の実施の形態におけるインデックス表示モードにおける画像データのリンクを解除する方法を示す図である。
【図９】本発明の実施の形態における再生表示モードにおいて画像データにリンクを設定する方法を示す図である。
【図１０】本発明の実施の形態における再生表示モードにおいて画像データのリンクを解除する方法の一例を示す図である。
【図１１】本発明の実施の形態における隠し画像属性の設定方法を示す図である。
【図１２】本発明の実施の形態における隠し画像属性の解除方法を示す図である。
【図１３】本発明の実施の形態における画像表示制御装置１００の処理手順例を示すフローチャートである。
【図１４】本発明の実施の形態におけるクリック処理（ステップＳ９２０）の処理手順例の前半を示すフローチャートである。
【図１５】本発明の実施の形態におけるクリック処理（ステップＳ９２０）の処理手順例の後半を示すフローチャートである。
【図１６】本発明の実施の形態におけるドラッグ＆ドロップ処理（ステップＳ９６０）の処理手順例を示すフローチャートである。
【図１７】本発明の実施の形態の変形例における画像データのリンク設定例を示す図である。
【図１８】本発明の実施の形態の変形例における画像データのリンク利用例を示す図である。
【符号の説明】
【０１０５】
１００  画像表示制御装置
１１０  操作受付部
１２０  画像データベース
１３０  リンク管理データベース
１４０  表示状態保持部
１５０  表示制御部
１６０  表示部
６００  表示画面
６１０  画像データ表示領域
６２０  隠し画像表示チェックボックス
６３０  子画像表示チェックボックス
６４０  表示切替ボタン
６５０  リンク解除領域
６６０  隠し属性設定領域
６７０  隠し属性解除領域
６８０  親画像領域
６９０  子画像領域
７００  画像操作領域
７１０  選択枠
７２０  左矢印ボタン
７３０  右矢印ボタン
【図１】
2008175994.tif 000003
【図２】
2008175994.tif 000004
【図３】
2008175994.tif 000005
【図４】
2008175994.tif 000006
【図５】
2008175994.tif 000007
【図６】
2008175994.tif 000008
【図７】
2008175994.tif 000009
【図８】
2008175994.tif 000010
【図９】
2008175994.tif 000011
【図１０】
2008175994.tif 000012
【図１１】
2008175994.tif 000013
【図１２】
2008175994.tif 000014
【図１３】
2008175994.tif 000015
【図１４】
2008175994.tif 000016
【図１５】
2008175994.tif 000017
【図１６】
2008175994.tif 000018
【図１７】
2008175994.tif 000019
【図１８】
2008175994.tif 000020